(57)【要約】【課題】遠距離から見ることを想定している広告媒体についても、該広告媒体が広告する情報に関連する詳細広告情報を取得可能にする。【解決手段】広告媒体を識別する広告媒体識別情報を携帯端末装置から受信する受信部と、受信した広告媒体識別情報に基づき、該広告媒体識別情報の広告媒体が広告する情報に関連する詳細広告情報への参照情報を決定し、該参照情報を出力する参照情報決定部と、参照情報決定部が出力した参照情報を携帯端末装置に送信する送信部とを具備することを特徴とする参照情報提供装置。【選択図】図３
2008292653.tif 000002
【特許請求の範囲】
【請求項１】
広告媒体を識別する広告媒体識別情報を前記携帯端末装置から受信する受信部と、
前記受信した広告媒体識別情報に基づき、該広告媒体識別情報の広告媒体が広告する情報に関連する詳細広告情報への参照情報を決定し、該参照情報を出力する参照情報決定部と、
前記参照情報決定部が出力した参照情報を前記携帯端末装置に送信する送信部と
を具備することを特徴とする参照情報提供装置。
【請求項２】
前記広告媒体識別情報は、前記広告媒体の設置位置を識別する情報であることを特徴とする請求項１に記載の参照情報提供装置。
【請求項３】
前記広告媒体識別情報と期間を表す情報とに対応付けて前記広告媒体が前記期間に広告する情報に関連する詳細広告情報への参照情報を記憶する参照情報記憶部
を具備し、
前記参照情報決定部は、前記受信した広告媒体識別情報と、現在日時が属する期間とに対応付けて前記参照情報記憶部が記憶する参照情報を読み出し、該参照情報を出力すること
を特徴とする請求項１または請求項２に記載の参照情報提供装置。
【請求項４】
前記広告媒体識別情報は、前記広告媒体が設置されている移動体を少なくとも識別する情報であり、
地点を表す情報に対応付けて前記参照情報を記憶する参照情報記憶部と、
時刻を表す情報に対応付けて前記移動体が通過する予定の地点を表す情報を記憶する地点情報記憶部と
を具備し、
前記参照情報決定部は、現在日時と前記地点情報記憶部の記憶内容とに基づき、前記移動体が現在通過中の地点を算出し、算出した前記地点近辺の地点を表す情報に対応付けて前記参照情報記憶部が記憶する参照情報を読出し、該参照情報を出力すること
を特徴とする請求項１または請求項２に記載の参照情報提供装置。
【請求項５】
広告媒体の近傍に設置され、該広告媒体を識別する広告媒体識別情報を掲示する掲示装置と、前記掲示装置が掲示する前記広告媒体識別情報を読み取る携帯端末装置と、該携帯端末装置と通信網を介して通信する参照情報提供装置と、該携帯端末装置と通信網を介して通信し、詳細広告情報を提供する広告提供装置とからなる広告情報提供システムであって、
前記携帯端末装置は、
前記掲示装置が掲示する広告媒体識別情報を読み取る読取部と、
前記読取部が読み取った広告媒体識別情報を前記参照情報提供装置に送信する送信部と、
前記参照情報提供情報装置が送信した参照情報を受信する受信部と、
前記受信部が受信した参照情報が参照する詳細広告情報を前記広告提供装置から取得して出力する情報出力部と
を具備し、
前記参照情報提供装置は、
前記広告媒体識別情報を前記携帯端末装置から受信する受信部と、
受信した前記広告媒体識別情報に基づき、該情報の広告媒体が広告する情報に関連する詳細広告情報への参照情報を決定し、該参照情報を出力する参照情報決定部と、
前記参照情報決定部が出力した参照情報を前記携帯端末装置に送信する送信部と
を具備することを特徴とする広告情報提供システム。
【請求項６】
携帯端末装置と通信網を介して通信する参照情報提供装置における参照情報提供方法において、
前記参照情報提供装置が、広告媒体を識別する広告媒体識別情報を前記携帯端末装置から受信する第１の過程と、
前記参照情報提供装置が、前記受信した広告媒体識別情報に基づき、該広告媒体識別情報の広告媒体が広告する情報に関連する詳細広告情報への参照情報を決定し、該参照情報を出力する第２の過程と、
前記情報提供装置が、前記第２の過程にて出力した参照情報を前記携帯端末装置に送信する第３の過程と
を備えることを特徴とする参照情報提供方法。
【請求項７】
携帯端末装置と通信網を介して通信するコンピュータを、
広告媒体を識別する広告媒体情報を前記携帯端末装置から受信する受信部、
前記受信した広告媒体情報に基づき、該広告媒体情報の広告媒体が広告する情報に関連する詳細広告情報への参照情報を決定し、該参照情報を出力する参照情報決定部、
前記参照情報決定部が出力した参照情報を前記携帯端末装置に送信する送信部
として機能させるプログラム。
【発明の詳細な説明】
【技術分野】
【０００１】
本発明は、参照情報提供装置、広告情報提供システム、参照情報提供方法およびプログラム、特に、携帯電話などの携帯端末装置に広告を提供するための参照情報提供装置、広告情報提供システム、参照情報提供方法およびプログラムに関する。
【背景技術】
【０００２】
近年、雑誌や新聞などに掲載される広告において、その広告に関連する詳細広告情報、例えば広告している商品に関する情報や販売しているお店の地図などを掲載する情報サイトや広告している商品を通信販売している販売サイトへのＵＲＬ（Uniform Resource Locator；インターネット上における情報資源の場所を示す記述方式）などの参照情報を併記しているケースが多くなってきた。
しかし、ＵＲＬをＰＣ（Personal Computer；パーソナルコンピュータ）やＰＤＡ（Personal Digital Assistant：携帯情報端末）、携帯電話に手入力するのは面倒な作業であるため、ＵＲＬの入力を容易にするためにＵＲＬを表す２次元バーコード等の記号を掲載し、該記号の読み取り機能を搭載している携帯電話で読み取り、その携帯電話から該ＵＲＬにアクセスするといった利用方法が増えている。さらに、商品に付されたバーコードから読み取ったデータを送信すると、該商品に関連した電話番号、ＵＲＬ、電子メールアドレスなどを返す情報検索装置もある（特許文献１参照）。
また、広告媒体のデジタル化が進んでおり、街角には巨大な液晶モニタが設置され、リアルタイムに次々と表示する広告が変わる広告方法もある。
【特許文献１】特開２００２−１８３１８３号公報
【発明の開示】
【発明が解決しようとする課題】
【０００３】
しかしながら、上述のＵＲＬを表す２次元バーコードなどの記号を掲載する方法にあっては、これらの記号は、携帯電話などが備えるデジタルカメラにより接写して読み取るのに適しているために、ビルの壁面などに設置される巨大な液晶モニタやポスター、電車内の吊り広告など、遠距離から見ることを想定している広告媒体では、ＵＲＬなどの参照情報を表す記号を読み取ることが困難な場合があるという問題がある。
【０００４】
本発明は、このような事情に鑑みてなされたもので、その目的は、遠距離から見ることを想定している広告媒体についても、該広告媒体が広告する情報に関連する詳細広告情報を取得可能にする参照情報提供装置、広告情報提供システム、参照情報提供方法およびプログラムを提供することにある。
【課題を解決するための手段】
【０００５】
この発明は上述した課題を解決するためになされたもので、本発明の参照情報提供装置は、広告媒体を識別する広告媒体識別情報を前記携帯端末装置から受信する受信部と、前記受信した広告媒体識別情報に基づき、該広告媒体識別情報の広告媒体が広告する情報に関連する詳細広告情報への参照情報を決定し、該参照情報を出力する参照情報決定部と、前記参照情報決定部が出力した参照情報を前記携帯端末装置に送信する送信部とを具備することを特徴とする。
【０００６】
これにより、本発明の参照情報提供装置は、広告媒体識別情報を携帯端末装置から受信すると、該広告媒体が広告する情報に関連する詳細広告情報への参照情報を携帯端末装置に送信するので、遠距離から見ることを想定している広告媒体についても、該広告媒体を見る場所の近傍に広告媒体識別情報を表す２次元バーコード等を貼り付け、この２次元バーコード等を携帯端末装置で読み取って参照情報提供装置に送信することにより、該広告媒体が広告する情報に関連する詳細広告情報を取得することを可能にする。
【０００７】
また、本発明の参照情報提供装置は、上述の参照情報提供装置であって、前記広告媒体識別情報は、前記広告媒体の設置位置を識別する情報であることを特徴とする。
【０００８】
また、本発明の参照情報提供装置は、上述のいずれかの参照情報提供装置であって、前記広告媒体識別情報と期間を表す情報とに対応付けて前記広告媒体が前記期間に広告する情報に関連する詳細広告情報への参照情報を記憶する参照情報記憶部を具備し、前記参照情報決定部は、前記受信した広告媒体識別情報と、現在日時が属する期間とに対応付けて前記参照情報記憶部が記憶する参照情報を読み出し、該参照情報を出力することを特徴とする。
【０００９】
これにより、本発明の参照情報提供装置は、広告媒体識別情報を携帯端末装置から受信すると、該広告媒体が現在日時に広告する情報に関連する詳細広告情報への参照情報を携帯端末装置に送信するので、遠距離から見ることを想定している広告媒体についても、該広告媒体を見る場所の近傍に広告媒体を識別する情報を表す２次元バーコード等を貼り付け、この２次元バーコード等を携帯端末装置で読み取って参照情報提供装置に送信することにより、該広告媒体が現在日時に広告する情報に関連する詳細広告情報を取得することを可能にする。
【００１０】
また、本発明の参照情報提供装置は、上述のいずれかの参照情報提供装置であって、前記広告媒体識別情報は、前記広告媒体が設置されている移動体を少なくとも識別する情報であり、地点を表す情報に対応付けて前記参照情報を記憶する参照情報記憶部と、時刻を表す情報に対応付けて前記移動体が通過する予定の地点を表す情報を記憶する地点情報記憶部とを具備し、前記参照情報決定部は、現在日時と前記地点情報記憶部の記憶内容とに基づき、前記移動体が現在通過中の地点を算出し、算出した前記地点近辺の地点を表す情報に対応付けて前記参照情報記憶部が記憶する参照情報を読出し、該参照情報を出力することを特徴とする。
【００１１】
これにより、本発明の参照情報提供装置は、広告媒体識別情報を携帯端末装置から受信すると、該広告媒体が設置されている移動体が現在日時に通過中の地点に対応する詳細広告情報への参照情報を携帯端末装置に送信するので、該広告媒体が設置されている移動体の現在日時に通過中の地点に関連する詳細広告情報を携帯端末装置により取得することを可能にする。
【００１２】
また、本発明の広告情報提供システムは、広告媒体の近傍に設置され、該広告媒体を識別する広告媒体識別情報を掲示する掲示装置と、前記掲示装置が掲示する前記広告媒体識別情報を読み取る携帯端末装置と、該携帯端末装置と通信網を介して通信する参照情報提供装置と、該携帯端末装置と通信網を介して通信し、詳細広告情報を提供する広告提供装置とからなる広告情報提供システムであって、前記携帯端末装置は、前記掲示装置が掲示する広告媒体識別情報を読み取る読取部と、前記読取部が読み取った広告媒体識別情報を前記参照情報提供装置に送信する送信部と、前記参照情報提供情報装置が送信した参照情報を受信する受信部と、前記受信部が受信した参照情報が参照する詳細広告情報を前記広告提供装置から取得して出力する情報出力部とを具備し、前記参照情報提供装置は、前記広告媒体識別情報を前記携帯端末装置から受信する受信部と、受信した前記広告媒体識別情報に基づき、該情報の広告媒体が広告する情報に関連する詳細広告情報への参照情報を決定し、該参照情報を出力する参照情報決定部と、前記参照情報決定部が出力した参照情報を前記携帯端末装置に送信する送信部とを具備することを特徴とする。
【００１３】
また、本発明の参照情報提供方法は、携帯端末装置と通信網を介して通信する参照情報提供装置における参照情報提供方法において、前記参照情報提供装置が、広告媒体を識別する広告媒体識別情報を前記携帯端末装置から受信する第１の過程と、前記参照情報提供装置が、前記受信した広告媒体識別情報に基づき、該広告媒体識別情報の広告媒体が広告する情報に関連する詳細広告情報への参照情報を決定し、該参照情報を出力する第２の過程と、前記情報提供装置が、前記第２の過程にて出力した参照情報を前記携帯端末装置に送信する第３の過程とを備えることを特徴とする。
【００１４】
また、本発明のプログラムは、携帯端末装置と通信網を介して通信するコンピュータを、広告媒体を識別する広告媒体情報を前記携帯端末装置から受信する受信部、前記受信した広告媒体情報に基づき、該広告媒体情報の広告媒体が広告する情報に関連する詳細広告情報への参照情報を決定し、該参照情報を出力する参照情報決定部、前記参照情報決定部が出力した参照情報を前記携帯端末装置に送信する送信部として機能させる。
【発明の効果】
【００１５】
この発明によれば、参照情報提供装置は、広告媒体識別情報を携帯端末装置から受信すると、該広告媒体が広告する情報に関連する詳細広告情報への参照情報を携帯端末装置に送信するので、遠距離から見ることを想定している広告媒体についても、該広告媒体を見る場所の近傍に広告媒体識別情報を表す２次元バーコード等を貼り付け、この２次元バーコード等を携帯端末装置で読み取って参照情報提供装置に送信することにより、該広告媒体が広告する情報に関連する詳細広告情報を取得することを可能にする。
【発明を実施するための最良の形態】
【００１６】
［第１の実施形態］
以下、図面を参照して、本発明の第１の実施形態について説明する。図１は、この発明の第１の実施形態による広告情報提供システムの構成を示す概略システム構成図である。１００は、本実施形態における広告媒体である電車内吊り広告である。２００は、電車内吊り広告１００の近傍、すなわちこの電車内吊り広告１００が読める範囲に設置されている吊革に貼付されているシールであり、２次元バーコードが印刷されている。この２次元バーコードは、電車内吊り広告１００を識別する情報として電車内吊り広告１００の掲示場所を表す情報を含んだ参照情報提供装置５００への参照を表す第１のＵＲＬ（広告媒体識別情報）を符号化したものである。３００は、付属のデジタルカメラで２次元バーコードを読み取る機能およびＷｅｂアクセス機能を備えた携帯端末装置である。携帯端末装置３００は、無線ＬＡＮなどを介してインターネットアクセス可能なＰＤＡまたは、携帯電話網を介してインターネットアクセス可能な携帯電話である。４００は、インターネットや携帯電話網を含むネットワークである。５００は、携帯端末装置３００からの要求に基づき、電車内吊り広告１００にて現在広告中の情報に関連する詳細広告情報を配信する広告情報提供装置６００への参照を表す第２のＵＲＬ（参照情報）を含むＷｅｂページであり、この第２のＵＲＬへのリダイレクトを指示する第１のＷｅｂページを携帯端末装置３００に返す参照情報提供装置である。６００は、携帯端末装置３００からの要求に基づき、詳細広告情報を提供する第２のＷｅｂページを返す広告情報提供装置である。
【００１７】
図２は、本実施形態における広告情報提供システムの概要を説明する図である。例えば、化粧品を広告している電車内吊り広告１００を見たユーザが、広告している化粧品を欲しいと思い、携帯端末装置３００が具備するデジタルカメラおよび関連するソフトウェアを用いて、近くの吊革Ｔ１に貼られたシール２００に印刷されている２次元バーコードを読み取って第１のＵＲＬであるＵＲＬ１「http://xxx.kou-koku.com/yamanote/1234g-3r-nakaduri.html」を得る（Ｓ１）。このＵＲＬ１は、山手線の編成番号が１２３４番の３両目の中吊り広告であることを示している。このようにＵＲＬ１は、電車内中吊り広告１００が設置されている場所を表すことで、電車内吊り広告１００を識別している。さらに、第１のＵＲＬであるＵＲＬ１は、参照情報提供装置５００が出力する第１のＷｅｂページへの参照情報でもある。次に、携帯端末装置３００は、読み取ったＵＲＬ１にアクセスする、すなわち、参照情報提供装置５００にＵＲＬ１が示す第１のＷｅｂページを要求する（Ｓ２）。
【００１８】
参照情報提供装置５００は、ステップＳ２の要求を受信すると、電車内吊り広告１００に広告内容に対応している化粧品の通信販売のサイトを選択し、この選択したサイトである広告情報提供装置６００への参照情報である第２のＵＲＬ、すなわちＵＲＬ２「http://xxx.kesyou-hin.tu-han.com/」へリダイレクトする第１のＷｅｂページを携帯端末装置３００に送信する（Ｓ３）。携帯端末装置３００は、この第１のＷｅｂページを受けると、その内容に従い、ＵＲＬ２が示している広告情報提供装置６００にＷｅｂページを要求する（Ｓ４）。広告情報提供装置６００は、携帯端末装置３００にＵＲＬ２が示している第２のＷｅｂページである化粧品の通信販売のＷｅｂページを携帯端末装置３００に送信し（Ｓ５）、この第２のＷｅｂページを受けた携帯端末装置３００は、該Ｗｅｂページに従い、化粧品の通信販売の情報を表示する。
【００１９】
ここで、シール２００を、あらかじめ電車内吊り広告１００が見える範囲の全ての吊革に貼っておくことで、ユーザは、電車内吊り広告１００を見て興味を持った化粧品のより詳細な情報の取得および該化粧品の購入を、電車内吊り広告１００の近くまで行かずに、ユーザの近くの吊り皮に貼られたシール２００の２次元バーコードを携帯端末装置３００で読み取ることが可能である。
また、このシール２００に印刷された２次元バーコードが表す情報は、広告内容ではなく、電車の編成番号、車両番号などで、電車内吊り広告１００を吊り下げている位置、すなわち広告媒体の設置位置を識別しているので、電車内吊り広告１００が張り替えられて広告内容が変わったとしても、このシール２００を貼りかえる必要はない。なお、本実施形態においては、シール２００は吊り皮に貼るとして説明したが、シール２００に印刷されている２次元バーコードを直接吊り皮に印刷してもよい。
【００２０】
図３は、本実施形態における携帯端末装置３００および参照情報提供装置５００の構成を示す概略ブロック図である。携帯端末装置３００は、受信部３１０、送信部３２０、読取部３３０、情報出力部３４０、入力部３５０、出力部３６０を具備する。読取部３３０は、デジタルカメラを備え、該デジタルカメラにて撮影した２次元バーコードが表す第１のＵＲＬを検出する。ここで、この第１のＵＲＬは、Ｗｅｂページへの参照情報であると同時に、広告媒体を識別する情報でもある。例えば、図２にて示したＵＲＬ１「http://xxx.kou-koku.com/yamanote/1234g-3r-nakaduri.html」においては、「yamanote」が山手線を、「1234g」が電車の編成番号１２３４番を、「3r」が３両目を、「nakaduri」が中吊り広告を表すことで、山手線の編成番号１２３４番の３両目の中吊り広告を識別する情報となっており、さらに「xxx.kou-koku.com」が参照情報提供装置５００を表すホスト名となっている。入力部３５０は、入力キーやタッチパッドなどユーザが携帯端末装置３００を操作するための入力手段であり、出力部３６０は、ディスプレイやスピーカなどユーザへの通知を行なう手段である。
【００２１】
送信部３２０は、読取部３３０が検出した第１のＵＲＬにて第１のＷｅｂページを指定した要求を、ネットワーク４００を介して送信する。受信部３１０は、送信部３２０が要求した第１のＷｅｂページを、ネットワーク４００を介して受信する。第１のＷｅｂページは、後述するように第２のＷｅｂページ（詳細広告情報）へのリダイレクトを携帯端末装置３００に指示しており、リダイレクト先の第２のＷｅｂページを指定する第２のＵＲＬを含んでいる。ここで、リダイレクトとは、あるＵＲＬから他のＵＲＬに転送させることを指す。情報出力部３４０は、受信部３１０が受信した第１のＷｅｂページにおいてリダイレクト先として指定されている第２のＵＲＬにて第２のＷｅｂページを指定した要求を、ネットワーク４００を介して送信し、その応答として受信した第２のＷｅｂページを出力部３６０のディスプレイに表示する。この第２のＷｅｂページは、第１のＵＲＬが識別される広告媒体が広告する情報に関連する詳細広告情報であり、第２のＵＲＬは、この詳細広告情報への参照情報である。
【００２２】
参照情報提供装置５００は、受信部５１０、送信部５２０、送信情報生成部５３０、参照情報記憶部５４０を具備する。受信部５１０は、ネットワーク４００を介して携帯端末装置３００から第１のＵＲＬにて指定された第１のＷｅｂページの要求を受信する。送信部５２０は、送信情報生成部５３０が生成した第１のＷｅｂページを、ネットワーク４００を介して携帯端末装置３００に受信部５１０が受信した要求の応答として送信する。送信情報生成部（参照情報決定部）５３０は、受信部５１０が受信した要求に含まれる第１のＵＲＬに基づき選択した参照情報記憶部５４０のテーブルに、現在日時が属する期間に対応付けて記憶されている第２のＵＲＬを読み出し、この第２のＵＲＬを含み、第２のＵＲＬが指定する第２のＷｅｂページへのリダイレクトを指示する第１のＷｅｂページを生成する。参照情報記憶部５４０は、電車内中吊り広告１００およびその他の広告媒体各々について、期間毎に、該広告媒体による広告内容に関連し、さらに詳細な情報を通知するＷｅｂページや販売用のＷｅｂページを含む詳細広告情報への参照情報である第２のＵＲＬを記憶している。
【００２３】
図４は、参照情報記憶部５４０のうち、電車内吊り広告１００、ここでは山手線の編成番号１２３４番の電車の３両目の吊り広告に関するテーブルの例を示す図である。参照情報記憶部５４０は、広告媒体毎に、このようなテーブルを保持する。参照情報記憶部５４０が保持するテーブルは、図４に示すように、例えば期間「３月１日〜３月３１日」とＵＲＬ「http://xxx.kesyou-hin.tu-han.com/」と広告主「○×化粧品」、期間「４月１〜４月３０日」とＵＲＬ「http://xxx.cd.online.com/」と広告主「ＣＤ番組」、期間「５月１〜５月３１日」とＵＲＬ「http://xxx.kuidaore.com/」と広告主「飲食店」というように、電車内吊り広告１００にて広告する期間とＵＲＬと広告主とを対応付けて記憶している。
【００２４】
図５は、前述の第１のＷｅｂページ、すなわち送信情報生成部５３０が生成する第２のＷｅｂページへのリダイレクトを指示するＷｅｂページの例を示す図である。第１のＷｅｂページは、図５のように例えばリンクを指定するａタグのリンク先を指定するｈｒｅｆ属性の属性値として第２のＵＲＬである「http://xxx.kesyou-hin.tu-han.com」を含んでいる。図５に示すＷｅｂページの場合、これを受信した携帯端末装置３００の情報出力部３４０は、図５においてａタグで囲われた「○×ＣＯＳＭＥＴＩＣＳ」を出力部３６０のディスプレイに表示し、カーソルキーでこの「○×ＣＯＳＭＥＴＩＣＳ」を選んで決定ボタンを押すなど、入力部３５０が受けたユーザの入力キー操作による「○×ＣＯＳＭＥＴＩＣＳ」の選択を受け付けると、ｈｒｅｆ属性の属性値である第２のＵＲＬ「http://xxx.kesyou-hin.tu-han.com」で指定する第２のＷｅｂページを指定した要求を送信する。なお、図５では、リダイレクト先のリンクを携帯端末装置３００に表示させ、このリンクを選択する操作をユーザすると、その操作を受けて、リンク先にリダイレクトされるとして説明したが、第１のＷｅｂページにおいて、ＭＥＴＡタグでリダイレクト先を指定しておき、携帯端末装置３００が、該ＭＥＴＡタグに基づき、ユーザ操作無しでリダイレクトするようにしてもよい。
【００２５】
図６は、本実施形態における広告情報配信システムの動作を説明するシーケンス図である。まず、電車内吊り広告１００に興味を持ったユーザが、周辺の吊皮に貼られたシール２００に印刷された２次元バーコードを携帯端末装置３００のデジタルカメラに読み取らせる（Ｓａ１）。携帯端末装置３００の読取部３３０は、ステップＳａ１にて読み取った２次元バーコードを復号して、第１のＵＲＬ（ここでは、「http://xxx.kou-koku.com/yamanote/1234g-3r-nakaduri.html」）を検出する。次に、携帯端末装置３００の送信部３２０は、第１のＵＲＬにて第１のＷｅｂページを指定した要求を、ネットワーク４００を介して送信する（Ｓａ２）。ここで、第１のＵＲＬのホスト名は、参照情報提供装置５００になっているので、この要求は参照情報提供装置５００に送信される。
【００２６】
参照情報提供装置５００の受信部５１０は、ステップＳａ２にて送信された第１のＷｅｂページの要求を受信する。送信情報生成部５３０は、受信５１０が受信した要求に含まれる第１のＵＲＬのパス名が表す広告媒体に関するテーブルを参照情報記憶部５４０から選択し、このテーブルに現在日時が属する期間に対応付けて記憶されている第２のＵＲＬを読み出す。送信情報生成部５３０は、携帯端末装置３００に、読み出した第２のＵＲＬへのリダイレクトを指示する第１のＷｅｂページ、あるいはリダイレクトを促す画面の表示を指示する第１のＷｅｂページを生成する。送信部５２０は、送信情報生成部５３０が生成した第１のＷｅｂページを、受信部５１０が受信した要求の応答として、該要求の送信元である携帯端末装置３００に送信する（Ｓａ３）。
【００２７】
携帯端末装置３００の受信部３１０は、ステップＳａ３で参照情報提供装置５００が送信した第１のＷｅｂページを、ネットワーク４００を介して受信する。この第１のＷｅｂページがリダイレクトを指示しているときは、情報出力部３４０が、第１のＷｅｂページに従い、第２のＵＲＬにて第２のＷｅｂページを指定した要求を、ネットワーク４００を介して送信する（Ｓａ４）。また、この第１のＷｅｂページがリダイレクトを促す画面の表示を指示するときは、情報出力部３４０が、第１のＷｅｂページに従い、第２のＵＲＬへのリダイレクトを促す画面をディスプレイに表示し、該画面に従い、ユーザが携帯端末装置３００を操作すると、該操作を受け付けた情報出力部３４０は、第２のＵＲＬにて第２のＷｅｂページを指定した要求を、ネットワーク４００を介して送信する（Ｓａ４）。
【００２８】
ここで、第２のＵＲＬは、電車内吊り広告１００が現在広告中の内容に関連した詳細広告情報を表示させる第２のＷｅｂページを提供している広告情報提供装置６００への参照を表す情報である。従って、広告情報提供装置６００は、ステップＳａ４の要求を受信し、その応答として、第２のＷｅｂページを携帯端末装置３００に送信する（Ｓａ５）。携帯端末装置３００の情報出力部３４０は、ステップＳａ５にて送信された第２のＷｅｂページを受信し、この第２のＷｅｂページの指示に従い、詳細広告情報を表示する。
【００２９】
なお、上述の第１の実施形態において、広告媒体の例として電車内中吊り広告を挙げたが、電車内の壁面、ビルの壁面、あるいは球場に貼られたポスターであってもよいし、電車内の壁面、ビルの壁面、あるいは球場に設置されたモニタに広告を表示させる広告媒体であってもよい。広告媒体がビルの壁面に設置されている場合、シール２００は、この広告媒体が見える範囲の電信柱やビルの壁面などに貼っておく。また、広告媒体が球場に設置されている場合、シール２００は、この広告媒体が見える範囲のシートなどに貼っておく。広告媒体がモニタの場合、モニタに表示される広告の内容は、時々刻々と変わるので、参照情報記憶部５４０に記憶される期間の情報を日付け単位ではなく、時間単位や分単位にして各広告が表示される時間帯を記憶されるようにし、該時間帯と、各広告に対応する第２のＵＲＬとを対応付けて参照情報記憶部５４０は記憶し、送信情報生成部５３０は、現在時刻が属する時間帯と対応付けて参照情報記憶部５４０が記憶している第２のＵＲＬを読み出して、この第２のＵＲＬを含む第１のＷｅｂページを生成するようにしてもよい。
【００３０】
このように、ユーザから離れたところにある電車内吊り広告１００についても、ユーザは、自身の近くにある吊皮などに貼られたシール２００に印刷された２次元バーコードを携帯端末装置３００に読み取らせることで、電車内吊り広告１００の広告内容に関連した情報を、携帯端末装置３００に表示させることができる。また、電車内吊り広告１００を張り替えて、広告内容が変わったときでも、送信情報生成部５３０は参照情報記憶部５４０に従い、新しい広告内容に合わせた第２のＵＲＬを含む第１のＷｅｂページを生成するので、シール２００を貼り替える必要はない。
また、このように、広告媒体が、電車内の壁面あるいはビルの壁面に設置された液晶モニタであるときは、時々刻々と変わる広告内容に関連した詳細広告情報を、携帯端末装置３００に取得させることができる。
【００３１】
［第２の実施形態］
図７は、この発明の第２の実施形態による広告情報提供システムの構成を示す概略システム構成図である。同図において図１の各部に対応する部分（１００、２００、３００、４００、６００）には同一の符号を付け、その説明を省略する。本実施形態における広告情報提供システムは、電車内吊り広告１００、シール２００、携帯端末装置３００、ネットワーク４００、参照情報提供装置５０１、広告情報提供装置６００を具備する。参照情報提供装置５０１は、第１の実施形態における参照情報提供装置５００と同様に携帯端末装置３００からの要求に基づき、電車内吊り広告１００にて現在広告中の情報に関連する詳細広告情報を配信する広告情報提供装置６００への参照を表す第２のＵＲＬへのリダイレクトを指示する第１のＷｅｂページを携帯端末装置３００に返すが、この第２のＵＲＬの参照先が、電車内吊り広告１００が吊られている電車（移動体）が走行中の位置に応じた詳細広告情報である点が第１の実施形態とは異なる。
【００３２】
図８は、本実施形態における参照情報提供装置５０１の構成を示す概略構成図である。同図において図３の各部に対応する部分（５１０、５２０）には同一の符号を付け、その説明を省略する。送信情報生成部（参照情報決定部）５３１は、受信部５１０が受信した要求に含まれる第１のＵＲＬ（広告媒体識別情報）に基づき地点情報記憶部５５１のテーブルおよび参照情報記憶部５４１のテーブルを選択する、すなわち広告媒体に対応したテーブルを選択する。送信情報生成部５３１は、次に、選択した地点情報記憶部５５１のテーブルと現在日時とに基づき、現在電車が通過中の地点を算出し、算出した通過中の地点に最も近い地点を現す情報に対応付けて、先に選択した参照情報記憶部５４１のテーブルが記憶する第２のＵＲＬ（参照情報）を読出し、この第２のＵＲＬを含み、第２のＵＲＬが指定する第２のＷｅｂページへのリダイレクトを指示する第１のＷｅｂページを生成する。参照情報記憶部５４１は、電車内中吊り広告１００およびその他の広告媒体各々について、地点を表す情報と広告内容に関連し、さらに詳細な情報を通知するＷｅｂページや販売用のＷｅｂページを含む詳細広告情報への参照情報である第２のＵＲＬを記憶している。地点情報記憶部５５１は、電車内中吊り広告１００およびその他の広告媒体各々について、日時と該日時において該広告媒体が設置された電車が通過もしくは到着する予定の地点を表す情報とを対応付けて記憶している。
【００３３】
図９は、地点情報記憶部５５１のうち、電車内吊り広告１００に関するテーブルの例を示す図である。地点情報記憶部５５１は、広告媒体毎に、このようなテーブルを保持する。本実施形態のように、広告媒体が電車内吊り広告であり、複数の広告媒体が同じ車両などに設置されているために各地点を通過するスケジュールが同じときは、複数の広告媒体に対して、図９に示すようなテーブルを１つ保持していても良い。地点情報記憶部５５１が保持するテーブルは、図９に示すように、例えば時間「１１：２４」と駅「東京駅」と緯度経度「３５．４０．３９．２５／１３９．４６．１５．５８」、時間「１１：２７」と駅「秋葉原駅」と緯度経度「３５．４１．１９．４８／１３９．４６．２７．２９」、時間「１１：３０」と駅「上野駅」と緯度経度「３５．４２．３７．５０／１３９．４６．５０．０６」というように、時刻と該時刻に通過あるいは到着する駅と該駅の緯度経度とを対応付けて記憶している。なお、本実施形態においては、時間として時刻のみを示したが、曜日あるいは年月日などを付して、特定の日に限定してもよい。
【００３４】
図１０は、参照情報記憶部５４１のうち、電車内吊り広告１００に関するテーブルの例を示す図である。参照情報記憶部５４１は、広告媒体毎に、このようなテーブルを保持する。本実施形態のように、広告媒体が電車内吊り広告であり、複数の広告媒体の広告内容が同じときは、広告内容が同じ複数の広告媒体に対して、図１０に示すようなテーブルを１つ保持していても良い。参照情報記憶部５４１が保持するテーブルは、図１０に示すように、例えばスクール「品川校舎」と緯度経度「３５．４０．３９．２５／１３９．４７．１５．５８」とＵＲＬ「http://xxx.suku-ru.com/sinagawa.html」、スクール「御茶ノ水校舎」と緯度経度「３５．４１．２０．４５／１３９．４６．２７．４０」とＵＲＬ「http://xxx.suku-ru.com/ocha.html」、スクール「新宿校舎」と緯度経度「３５．４２．３７．５０／１３９．４６．５０．０６」とＵＲＬ「http://xxx.suku-ru.com/sinjyuku.html」というようにスクールと該スクールの緯度経度と該スクールを紹介するＷｅｂページのＵＲＬとを対応付けて記憶している。ただし、ここで緯度経度は、北緯と東経を「／」で連結して示している。例えば、「３５．４０．３９．２５／１３９．４７．１５．５８」は、北緯３５度４０分３９．２５秒（３９．２５秒は、３９秒と２５／６０秒の和）と東経１３９度４７分１５．５８秒を示している。
【００３５】
図１１は、本実施形態における第１のＷｅｂページ、すなわち送信情報生成部５３１が生成する第２のＷｅｂページへのリダイレクトを指示するＷｅｂページの例を示す図である。本実施形態における第１のＷｅｂページは、図１１のように例えばａタグのｈｒｅｆ属性の属性値として第２のＵＲＬである「http://xxx.suku-ru.com/ocha.html」を含んでいる。図１１に示すＷｅｂページの場合、これを受信した携帯端末装置３００の情報出力部３４０は、図１１においてａタグで囲われた「一番近いスクール」とそれに続く「体験学習！」をディスプレイに表示し、ユーザ操作によるこの「一番近いスクール」の選択を受け付けると、ｈｒｅｆ属性の属性値である第２のＵＲＬ「http://xxx.suku-ru.com/ocha.html」で指定する第２のＷｅｂページを指定した要求を送信する。なお、図１１では、リダイレクト先のリンクを携帯端末装置３００に表示させ、このリンクを選択する操作をユーザすると、その操作を受けて、リンク先にリダイレクトされるとして説明したが、第１のＷｅｂページにおいて、ＭＥＴＡタグでリダイレクト先を指定しておき、携帯端末装置３００が、該ＭＥＴＡタグに基づき、ユーザ操作無しでリダイレクトするようにしてもよい。
【００３６】
図１２は、本実施形態における送信情報生成部５３１の動作を説明するフローチャートである。送信情報生成部５３１は、まず、参照情報提供装置５０１が具備する計時機能（図示せず）から現在時刻（ここでは、「１１：２５」）を取得する（Ｓｂ１）。次に、送信情報生成部５３１は、受信部５１０が受信した第１のＵＲＬに基づき地点情報記憶部５５１のテーブルを選択し、該選択したテーブルが保持している時刻と緯度経度とを参照して、現在時刻における緯度経度を補間して算出する（Ｓｂ２）。現在時刻が「１１：２５」であり、選択したテーブルが図９に例示する内容のときは、送信情報生成部５３１は、以下のようにして、現在時刻における緯度経度を算出する。
【００３７】
まず、送信情報生成部５３１は、地点情報記憶部５５１のテーブルを参照して、現在時刻の前後に通過または到着する駅を選択する。ここでは、図９に示す地点情報記憶部５５１のテーブルを参照すると、「１１：２４」の東京駅と、「１１：２７」の秋葉原駅である。次に、送信情報生成部５３１は、これら２つの時刻の間で、どれだけの割合、時間が経過しているかを算出する。ここでは、（１１：２５−１１：２４）／（１１：２７−１１：２４）＝１／３より、３分の１経過している。経過時間の割合が、駅間の進んだ距離の割合と一致する、すなわち現在時刻には、東京駅から秋葉原駅までの１／３の地点にいるとして、送信情報生成部５３１は、地点情報記憶部５５１のテーブル東京駅と秋葉原駅の緯度経度から、現在地点の緯度を（（３５．４１．１９．４８）−（３５．４０．３９．２５））×１／３＋３５．４０．３９．２５＝３５．４０．５２．５３のように１次補間して算出し、同様にして経度を（（１３９．４６．２７．２９）−（１３９．４６．１５．５８））×１／３＋（１３９．４６．１５．５８）＝１３９．４６．１９．４８のように１次補間して算出する。
【００３８】
次に、送信情報生成部５３１は、受信部５１０が受信した第１のＵＲＬに基づき参照情報記憶部５４１のテーブルを選択し、該選択したテーブルから、ステップＳｂ２にて算出した現在地点の緯度、経度に最も近い地点のスクールを選択する（Ｓｂ３）。すなわち、送信情報生成部５３１は、現在地点の緯度、経度と、選択した参照情報記憶部５４１のテーブルに記憶している緯度、経度とから、各スクールと現在地点との距離を算出し、該距離が最も小さいスクールを選択する。次に、送信情報生成部５３１は、ステップＳｂ３にて選択したスクールのＵＲＬを参照情報記憶部５４１のテーブルから取得し、該ＵＲＬを第２のＵＲＬとして含む、例えば、図１１に示すような第１のＷｅｂページを生成する（Ｓｂ４）
【００３９】
このように、送信情報生成部５３１は、現在時刻と地点情報記憶部５５１の記憶内容とから、現在地点を算出し、該現在地点に最も近い地点を、参照情報記憶部５４１の記憶内容から選択し、該選択した地点に対応付けて参照情報記憶部５４１に記憶されているＵＲＬを含む第１のＷｅｂページを生成する。この第１のＷｅｂページに従い、詳細広告情報を取得する携帯端末装置３００は、現在地点に最も近い地点の詳細広告情報を取得することができる。
【００４０】
なお、図３における参照情報記憶部５４０および図８における参照情報記憶部５４１および地点情報記憶部５５１は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００４１】
また、上述の第１および第２の実施形態において、第１のＵＲＬは「http://xxx.kou-koku.com/yamanote/1234g-3r-nakaduri.html」のように、Ｗｅｂページのパス名が、広告媒体を識別するようにしたが、例えば「http://xxx.kou-koku.com/yamanote.cgi?g=1234&r=3」というように、ＣＧＩ（Common Gate Interface）の引数で、広告媒体を識別する情報の一部もしくは全部を表すようにしてもよいし、ＨＴＴＰ（HyperText Transfer Protocol）のＰＯＳＴメソッドを用いて引数を渡すなどして、ＵＲＬ以外の情報で広告媒体を識別する情報を表すようにしてもよい。
【００４２】
また、上述の第１および第２の実施形態におけるシール２００においては、第１のＵＲＬを表す２次元バーコードを印刷するとして説明したが、２次元ではないバーコードなど他の記号を用いてもよいし、第１のＵＲＬを文字で印刷し、携帯端末装置３００の読取部３３０は、ＯＣＲ（Optical Character Reading：光学文字読取）機能にて、シール２００に印刷された第１のＵＲＬを読み取るとしてもよい。
また、図３における受信部３１０、送信部３２０、読取部３３０、情報出力部３４０、あるいは、図３における受信部５１０、送信部５２０、送信情報生成部５３０、あるいは、図８における受信部５１０、送信部５２０、送信情報生成部５３１の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４５】
本発明は、携帯電話への詳細広告情報の配信に用いて好適であるが、これに限定されない。
【図面の簡単な説明】
【００４６】
【図１】この発明の第１の実施形態による広告情報提供システムの構成を示す概略システム構成図である。
【図２】同実施形態における広告情報提供システムの概要を説明する図である。
【図３】同実施形態における携帯端末装置３００および参照情報提供装置５００の構成を示す概略ブロック図である。
【図４】同実施形態における参照情報記憶部５４０のうち、電車内吊り広告１００に関するテーブルの例を示す図である。
【図５】同実施形態における送信情報生成部５３０が生成する第１のＷｅｂページの例を示す図である。
【図６】同実施形態における広告情報配信システムの動作を説明するシーケンス図である。
【図７】この発明の第２の実施形態による広告情報提供システムの構成を示す概略システム構成図である。
【図８】同実施形態における参照情報提供装置５０１の構成を示す概略構成図である。
【図９】同実施形態における地点情報記憶部５５１のうち、電車内吊り広告１００に関するテーブルの例を示す図である。
【図１０】同実施形態における参照情報記憶部５４１のうち、電車内吊り広告１００に関するテーブルの例を示す図である。
【図１１】同実施形態における送信情報生成部５３１が生成する第１のＷｅｂページの例を示す図である。
【図１２】同実施形態における送信情報生成部５３１の動作を説明するフローチャートである。
【符号の説明】
【００４７】
１００…電車内吊り広告
２００…シール
３００…携帯端末装置
３１０…受信部
３２０…送信部
３３０…読取部
３４０…情報出力部
３５０…入力部
３６０…出力部
４００…ネットワーク
５００…参照情報提供装置
５１０…受信部
５２０…送信部
５３０、５３１…送信情報生成部
５４０、５４１…参照情報記憶部
５５１…地点情報記憶部
６００…広告情報提供サーバ
【図１】
2008292653.tif 000003
【図２】
2008292653.tif 000004
【図３】
2008292653.tif 000005
【図４】
2008292653.tif 000006
【図５】
2008292653.tif 000007
【図６】
2008292653.tif 000008
【図７】
2008292653.tif 000009
【図８】
2008292653.tif 000010
【図９】
2008292653.tif 000011
【図１０】
2008292653.tif 000012
【図１１】
2008292653.tif 000013
【図１２】
2008292653.tif 000014